(57)【要約】      （修正有）【課題】壁面に穴を開けないで物品を壁面に強力に接着することが可能であり、また壁面から転落しにくい物品固定具を提供する。【解決手段】物品固定具本体２と粘着シート３を備えている。物品固定具本体２は、第一表面2aと第二表面２ｂと物品固定具本体側縁部２ｃと掛止部２ｄを有している。粘着シート側縁部３ｃは、第一接着面から第二接着面３ｂに向けて形成されている。粘着シート３と物品固定具本体２は、第一接着面と第二表面３ｂが係着することによって係合する。【選択図】図１
2013027641.tif 000002
【特許請求の範囲】
【請求項１】
すだれや衣類などを吊り下げるための物品固定具であって、
物品固定具本体と粘着シートを備えており、
前記物品固定具本体は、第一表面と第二表面と物品固定具本体側縁部と掛止部を有し、
前記第一表面は、一方の面に形成されており、前記第二表面は、他方の面に形成されており、前記物品固定具本体側縁部は、前記第一表面から前記第二表面に向けて形成されており、
前記掛止部は、前記第一表面から外方向に延出して形成されており、
前記粘着シートは、第一接着面と第二接着面と粘着シート側縁部と溝部と接着力の弱い接着剤を有し、
前記第一接着面は、一方の面に形成されており、前記第二接着面は、他方の面に形成されており、
前記粘着シート側縁部は、前記第一接着面から前記第二接着面に向けて形成されており、
前記溝部は、前記第二接着面に形成されており、
前記接着力の弱い接着剤は、前記第一接着面、および、前記第二接着面に塗られており、
前記粘着シートと前記物品固定具本体は、前記第一接着面と前記第二表面が係着することによって係合することを特徴とする物品固定具。  
【請求項２】
前記第一接着面にも前記溝部が形成されていることを特徴とする請求項１に記載の物品固定具。
【請求項３】
第一開口部は、前記第一接着面に形成されており、
第二開口部は、前記第二接着面に形成されており、
前記溝部は、前記第一開口部から前記第二開口部に向けて形成されていることを特徴とする請求項１に記載の物品固定具。
【請求項４】
前記溝部には、接着力の強い接着剤が注入されていることを特徴とする請求項１、あるいは、請求項３のうちのいずれか一つに記載の物品固定具。
【請求項５】
前記掛止部は、前記物品固定具本体側縁部から外方向に延出して形成されていることを特徴とする請求項１、ないしは、請求項４のうちのいずれか一つに記載の物品固定具。
【発明の詳細な説明】
【技術分野】
【０００１】
本発明は、壁面に穴を開けないで壁面に強力な力で係着することができる物品固定具に関する。
【背景技術】
【０００２】
すだれや衣類などは物品固定具に掛止することが多い。
物品固定具には、粘着シートで壁面に係着する物品固定具やボルトで壁面に係着する物品固定具などがある。
【０００３】
粘着シートで壁面に係着する物品固定具は、物品固定具と壁面を粘着シートの表面に塗られた接着力の弱い接着剤によって係着する。
接着力の弱い接着剤には、アクリル、シリコン、ゴム、エポキシ、ポリウレタンを主成分にした接着剤がある。
【０００４】
粘着シートで壁面に係着する物品固定具は、壁面がタイル、コンクリート、金属などである際にも、壁面に穴を開けなくても壁面に係着することができる。
しかし、粘着シートで壁面に係着する物品固定具と壁面は、粘着シートの表面に塗られた接着力の弱い接着剤によって係着しているだけなので、粘着シートで壁面に係着する物品固定具と壁面を係着する力は弱い。
このため、粘着シートで壁面に係着する物品固定具壁面を壁面に係着すると、粘着シートで壁面に係着する物品固定具は壁面から離脱して、壁面から転落することがある。
また、粘着シートで壁面に係着する物品固定具を壁面に係着した後に、粘着シートで壁面に係着する物品固定具に重量がある物品を掛止すると、粘着シートで壁面に係着する物品固定具は壁面から離脱して、粘着シートで壁面に係着する物品固定具と重量がある物品は壁面から転落することがある。
【０００５】
ボルトで壁面に係着する物品固定具は、ボルトで壁面に係着するので、壁面に強力な力で係着することができる。
しかし、ボルトで壁面に係着する物品固定具は、ボルトで壁面に係着するので、壁面に穴が開いているか、ドリルなどで壁面に穴を開けなければ壁面に係着することはできない。
このため、ボルトで壁面に係着する物品固定具は、壁面がタイル、コンクリート、金属などである際には、壁面に穴が開いているか、あるいは、壁面にドリルなどで壁面に穴を開けなければ壁面に係着することはできない。
【０００６】
背景技術には、特許文献１、特許文献２、特許文献３、非特許文献１がある。
【０００７】
特許文献１に示す掛止具は、両面テープによって壁面に係着している。
両面テープの接着力は弱いので、特許文献１に示す掛止具は、壁面から離脱して転落したり、壁面に係着した特許文献１に示す掛止具に重量がある物品を掛止すると、特許文献１に示す掛止具と重量がある物品は、壁面から離脱して転落することがある。
【０００８】
特許文献２に示す壁面接着用フックは、一方にリング状の植毛を設けた面が設けられており、他方に両面テープが貼り付けられている植毛がない面が設けられている布で壁面に係着している。
特許文献２に示す壁面接着用フックは、リング状の植毛を設けた面に接着剤を塗れば、壁面に凹凸があっても接着することができる。
しかし、特許文献２に示す壁面接着用フックは、リング状の植毛を設けた面に塗られた接着剤が乾燥するまでには多少の時間がかかり、また、接着剤が乾燥するまで十分な接着力が生じないので、凹凸がない壁面に係着した際はもちろん、凹凸がある壁面に係着した際でもリング状の植毛を設けた面に塗られた接着剤が乾燥するまでに特許文献２に示す壁面接着用フックは壁面から離脱して転落することがある。
また、特許文献２に示す壁面接着用フックは、リング状の植毛を設けた面に塗られた接着剤が乾燥するまでには多少の時間はかかり、また、接着剤が乾燥するまで十分な接着力は生じないので、リング状の植毛を設けた面に塗られた接着剤が乾燥するまでに特許文献２に示す壁面接着用フックと壁面との間にすき間ができて、リング状の植毛を設けた面に塗られた接着剤が乾燥しても特許文献２に示す壁面接着用フックと壁面は十分な接着力で係着しないために、特許文献２に示す壁面接着用フックは、壁面から離脱して転落したり、また、壁面に係着した特許文献２に示す壁面接着用フックに物品を掛止すると、特許文献２に示す壁面接着用フックと特許文献２に示す壁面接着用フックに掛止した物品は、壁面から離脱して転落することがある。
【０００９】
非特許文献１に示す物品固定具は、平面的に形成された面に接着力の強い接着剤を塗って壁面に係着する。
接着力の強い接着剤には、シアノアクリレートを主成分にした接着剤がある。
シアノアクリレートを主成分にした接着剤は、瞬間接着剤と呼ばれることもある。
非特許文献１に示す物品固定具は、平面的に形成された面に接着力の強い接着剤を塗って壁面に係着するので、平面的に形成された面に接着力の弱い接着剤を塗って壁面に係着する物品固定具よりも壁面に強力に係着することができる。
しかし、非特許文献１に示す物品固定具は、平面的に形成された面に塗られた接着剤が乾燥するまでには多少の時間がかかり、また、接着剤が乾燥するまで十分な接着力が生じないので、凹凸がない壁面に係着した際はもちろん、凹凸がある壁面に係着した際でも平面的に形成された面に塗られた接着剤に塗られた接着剤が乾燥するまでに非特許文献１に示す物品固定具は壁面から離脱して転落することがある。
また、非特許文献１に示す物品固定具は、平面的に形成された面に塗られた接着剤が乾燥するまでには多少の時間はかかり、また、接着剤が乾燥するまで十分な接着力は生じないので、非特許文献１に示す物品固定具と壁面との間にすき間ができて、平面的に形成された面に塗られた接着剤が乾燥しても非特許文献１に示す物品固定具と壁面は十分な接着力で係着しないために、壁面に係着した非特許文献１に示す物品固定具に物品を掛止すると、非特許文献１に示す物品固定具と非特許文献１に示す物品固定具に掛止した物品は、壁面から離脱して転落することがある。
【００１０】
特許文献３に示す物品固定具は、ボルトで物品固定具を壁面に係着するので、物品固定具を壁面に強力な力で係着することができる。
しかし、特許文献３に示す物品固定具は、壁面に穴が開いているか、ドリルなどで穴を開けなければ使用することはできない。
このため、特許文献３に示す物品固定具は、壁面がタイル、コンクリート、金属などである際には、壁面に穴が開いているか、あるいは、壁面にドリルなどで壁面に穴を開けなければ壁面に係着することはできない。
【００１１】
【特許文献１】特許公開２００８−４８９１４公報
【特許文献２】特許公開平８−８０２４６公報
【特許文献３】特許公開２００４−１３７７９８公報
【非特許文献１】“楽天市場│スッポンゼリー状接着剤フック SAH-８（丸型） 2個入 ”、［online］、［平成２３年７月０８日検索］、インターネット＜ＵＲＬ：http://item.rakuten.co.jp/clubestashop/10001319/＞
【発明の開示】
【発明が解決しようとする課題】
【００１２】
本発明は、壁面に穴を開けないで物品を壁面に強力に接着することが可能であり、また、壁面から転落しにくい物品固定具を提供することを目的とする。
【課題を解決するための手段】
【００１３】
本発明の物品固定具は、物品固定具本体と粘着シートを備えている。
物品固定具本体は、第一表面と第二表面と物品固定具本体側縁部と掛止部を有している。
第一表面は、一方の面に形成されており、第二表面は、他方の面に形成されており、物品固定具本体側縁部は、第一表面から第二表面に向けて形成されている。
掛止部は、第一表面から外方向に延出して形成されている。
粘着シートは、第一接着面と第二接着面と粘着シート側縁部と溝部と接着力の弱い接着剤を有している。
第一接着面は、一方の面に形成されており、第二接着面は、他方の面に形成されている。
粘着シート側縁部は、第一接着面から第二接着面に向けて形成されている。
溝部は、第二接着面に形成されている。
接着力の弱い接着剤は、第一接着面、および、第二接着面に塗られている。
粘着シートと物品固定具本体は、第一接着面と第二表面が係着することによって係合する。
【００１４】
第一接着面、および、第二接着面の表面に塗られている接着力の弱い接着剤には、アクリル、シリコン、ゴム、エポキシ、ポリウレタンを主成分にした接着剤がある。
第一接着面を物品固定具本体に押しつければ、第一接着面と物品固定具本体は第一接着面の表面に塗られた接着力の弱い接着剤によって係着し、第二接着面を壁面に押しつければ、第二接着面と壁面は第二接着面に塗られた接着力の弱い接着剤によって係着する。
【００１５】
第一接着面を物品固定具本体に押しつけて第一接着面と物品固定具本体を係着して、第二接着面を壁面に押しつけて第二接着面と壁面を係着することによって、物品固定具と壁面を係着しても、第二接着面が壁面から離脱することによって、物品固定具は壁面から転落することがある。
第一接着面を物品固定具本体に押しつけて第一接着面と物品固定具本体を係着して、第二接着面を壁面に押しつけて第二接着面と壁面を係着することによって、物品固定具と壁面を係着しても、壁面と係着した物品固定具に重量がある物品を掛止すると第二接着面が壁面から離脱することによって、物品固定具と重量がある物品は壁面から転落することがある。
【００１６】
物品固定具をより強力に壁面に係着するために、非特許文献１に示すように、第二接着面に接着力の強い接着剤を塗って、壁面に係着する物品固定具がある。
接着力の強い接着剤には、シアノアクリレートを主成分にした接着剤がある。
シアノアクリレートを主成分にした接着剤は、瞬間接着剤と呼ばれることもある。
しかし、第二接着面の表面が平面的に形成されている際に、第二接着面に接着力の強い接着剤を塗って第二接着面を壁面に係着しても、接着力の強い接着剤が乾燥するまでには少し時間がかかるので、第二接着面と壁面との係着が不完全になって、第二接着面は壁面から離脱することによって、物品固定具は壁面から離脱して転落することがある。
また、第二接着面の表面が平面的に形成されている際に、第二接着面に接着力の強い接着剤を塗って第二接着面を壁面に係着しても、接着力の強い接着剤が乾燥するまでには少し時間がかかるので、第二接着面に接着力の強い接着剤を塗って、壁面に係着する物品固定具と壁面との間にすき間ができて、平面的に形成された面に塗られた接着剤が乾燥しても第二接着面に接着力の強い接着剤を塗って、壁面に係着する物品固定具と壁面は十分な接着力で係着しないために、壁面に係着した第二接着面に接着力の強い接着剤を塗って、壁面に係着する物品固定具に物品を掛止すると、第二接着面に接着力の強い接着剤を塗って、壁面に係着する物品固定具と第二接着面に接着力の強い接着剤を塗って、壁面に係着する物品固定具に掛止した物品は、壁面から離脱して転落することがある。
【００１７】
このような問題を解決するために、平面的に形成されている第二接着面に接着力の弱い接着剤を塗って、その第二接着面の一部にさらに接着力の強い接着剤を塗って、第二接着面を壁面に係着するという方法もあるが、この方法では、第二接着面と壁面の間に入り込んだ接着力の強い接着剤によって第二接着面と壁面との間にすき間ができるために、第二接着面と壁面は、接着力の弱い接着剤による係着が不十分になるために、接着力の強い接着剤が乾燥するまでに、第二接着面は壁面から離脱することによって、物品固定具は壁面から転落することがある。
【００１８】
そこで、本発明の物品固定具の粘着シートには、第二接着面に溝部を設けている。
第一接着面を物品固定具本体に押しつけると、第一接着面と物品固定具本体は、第一接着面の表面に塗られた接着力の弱い接着剤によって係着する。
溝部に接着力の強い接着剤を注入して、第二接着面を壁面に押しつけると、第二接着面の表面に塗られた接着力の弱い接着剤によって、第二接着面は壁面に係着する。
第二接着面に塗られた接着力の弱い接着剤によって、第二接着面が壁面に係着している間に、溝部に注入された接着力の強い接着剤が乾燥すると、物品固定具は、第二接着面の表面に塗られた接着力の弱い接着剤、および、溝部に注入された接着力の強い接着剤で壁面に係着することができるので、物品固定具を強力な力で壁面に係着することができる。
【発明の効果】
【００１９】
本発明の物品固定具は、壁面に穴を開けないで壁面に強力な力で係着することができる。
本発明の物品固定具を壁面に係着すると、物品固定具は、壁面から転落しにくくなる。
【発明を実施するための最良の形態】
【００２０】
図面に基づいて発明を実施するための最良の形態を説明する。
【実施例１】
【００２１】
実施例１の物品固定具１は、図１(ａ)(ｂ)、図２(ａ)(ｂ)(ｃ)、図３(ａ)(ｂ)、図４(ａ)(ｂ)に示すように、物品固定具本体２と粘着シート３を備えている。
物品固定具本体２は、図５(ａ)(ｂ)に示すように、第一表面２ａと第二表面２ｂと物品固定具本体側縁部２ｃと掛止部２ｄを有している。
図５(ａ)(ｂ)に示すように、第一表面２ａは、一方の面に形成されており、第二表面２ｂは、他方の面に形成されており、物品固定具本体側縁部２ｃは、第一表面２ａから第二表面２ｂに向けて形成されている。
掛止部２ｄは、図５(ａ)(ｂ)に示すように、第一表面２ａから外方向に延出して形成されている。
粘着シート３は、図５(ａ)(ｂ)、図６(ａ)(ｂ)に示すように、第一接着面３ａと第二接着面３ｂと粘着シート側縁部３ｃと溝部３ｄと接着力の弱い接着剤３ｅを有している。
図５(ａ)(ｂ)、図６(ａ)(ｂ)に示すように、第一接着面３ａは、一方の面に形成されており、第二接着面３ｂは、他方の面に形成されている。  
粘着シート側縁部３ｃは、図５(ａ)(ｂ)、図６(ａ)(ｂ)に示すように、第一接着面３ａから第二接着面３ｂに向けて形成されている。
溝部３ｄは、図５(ａ)(ｂ)、図６(ａ)(ｂ)に示すように、第二接着面３ｂに形成されている。
接着力の弱い接着剤３ｅは、図５(ａ)(ｂ)、図６(ａ)(ｂ)に示すように、第一接着面３ａ、および、第二接着面３ｂに塗られている。
粘着シート３と物品固定具本体２は、図７(ａ)(ｂ)に示すように、第一接着面３ａと第二表面２ｂが係着することによって係合する。
【００２２】
実施例１の物品固定具１の物品固定具本体２は、プラスチック、シリコン樹脂、金属などで形成されている。
金属には、鉄、アルミニウム、ステンレスなどがある。
実施例１の物品固定具１の粘着シート３は、ポリプロピレン、ポリエステル、ナイロン、ポリエチレン、ウレタン、ポリウレタン、シリコン、ゴムなどで形成されている。
第一接着面３ａ、および、第二接着面３ｂに塗られている接着力の弱い接着剤３ｅには、アクリル、シリコン、ゴム、エポキシ、ポリウレタンを主成分にした接着剤がある。
【００２３】
実施例１の物品固定具１の使用方法について説明する。
第一接着面３ａを第二表面２ｂに押しつければ、第一接着面３ａと第二表面２ｂは、図７(ａ)(ｂ)に示すように、第一接着面３ａに塗られている接着力の弱い接着剤３ｅによって係着する。
【００２４】
第二接着面３ｂに形成されている溝部３ｄに、図８(ａ)(ｂ)に示すように、接着力の強い接着剤４を注入する。
接着力の強い接着剤４には、シアノアクリレートを主成分にした接着剤がある。
シアノアクリレートを主成分にした接着剤は、瞬間接着剤と呼ばれることもある。
【００２５】
次に、図９に示すように、第二接着面３ｂを壁面５に押しつける。
図９に示すように、第二接着面３ｂを壁面５に押しつければ、第二接着面３ｂと壁面５は、第二接着面３ｂに塗られている接着力の弱い接着剤３ｅによって係着する。
第二接着面３ｂと壁面５は、第二接着面３ｂに塗られている接着力の弱い接着剤３ｅによって係着している間に、溝部３ｄに注入された接着力の強い接着剤４が乾燥すれば、第二接着面３ｂと壁面５は、第二接着面３ｂに塗られている接着力の弱い接着剤３ｅと溝部３ｄに注入された接着力の強い接着剤４によって係着することによって、実施例１の物品固定具１は壁面５に係着することができる。
【００２６】
実施例１の物品固定具１が係着する壁面５には、屋外であれば、タイル、コンクリート、木、金属などで形成された建物の外壁、壁、電柱などがあり、屋内であれば、タイル、コンクリート、木、金属などで形成された室内や浴室の壁などがある。
【００２７】
実施例１の物品固定具１は、第二接着面３ｂと壁面５を第二接着面３ｂに塗られた接着力の弱い接着剤３ｅ、および、溝部３ｄに注入された接着力の強い接着剤４で係着するので、第二接着面３ｂに接着力の弱い接着剤３ｅを塗っただけで第二接着面３ｂと壁面５を係着する物品固定具１よりも強力な力で壁面５に係着することができる。
このため、実施例１の物品固定具１を壁面５に係着すると、実施例１の物品固定具１は、従来の平面的に形成された第二接着面３ｂに接着力の弱い接着剤３ｅが塗られている物品固定具１よりも壁面５から離脱して転落することは少なくなる。
また、壁面５に係着した実施例１の物品固定具１の掛止部２ｄに物品を掛止しても、実施例１の物品固定具１は、従来の平面的に形成された第二接着面３ｂに接着力の弱い接着剤３ｅが塗られている物品固定具１よりも第二接着面３ｂと壁面５が離脱して転落することは少なくなる。
【００２８】
実施例１の物品固定具１の物品固定具本体２の平面方向の形状は、図１(ａ)(ｂ)、図２(ａ)(ｂ)、図５(ａ)(ｂ)では、略正方形形状である。
ただし、実施例１の物品固定具１の物品固定具本体２の平面方向の形状は、これには限られず、略長方形形状、略円形形状、略楕円形状、略台形形状など、ありとあらゆる形状がありうる。
実施例１の物品固定具１の物品固定具本体２の掛止部２ｄの形状は、図１(ａ)(ｂ)、図２(ｃ)、図５(ａ)(ｂ)では、略円弧形形状である。
ただし、実施例１の物品固定具１の物品固定具本体２の掛止部２ｄの形状は、これには限られず、略円筒形形状、略四角柱形状、略Ｌ字形形状など、ありとあらゆる形状がありうる。
溝部３ｄの断面形状は、図２(ｃ)、図４(ａ)、図６(ａ)では、略凹形状である。
ただし、溝部３ｄの断面形状は、略曲円形状、略三角形状、略台形形状などありとあらゆる形状がありうる。
また、溝部３ｄは、図１(ｂ)、図２(ｂ)(ｃ)、図３(ａ)(ｂ)、図４(ａ)(ｂ)、図５(ｂ)、図６(ａ)(ｂ)では、水平方向に略直線状に形成されている。
ただし、溝部３ｄは、図１０(ａ)(ｂ)(ｃ)(ｄ)に示すような垂直方向に略直線状に形成したり、図１１(ａ)(ｂ)(ｃ)(ｄ)に示すような斜め方向に略直線状に形成したり、図１２(ａ)(ｂ)(ｃ)(ｄ)に示すような略円形形状、図１３(ａ)(ｂ)(ｃ)(ｄ)に示すような略楕円形形状、図１４(ａ)(ｂ)(ｃ)(ｄ)に示すような略円弧形形状、図１５(ａ)(ｂ)(ｃ)(ｄ)に示すような略正方形形状、図１６(ａ)(ｂ)(ｃ)(ｄ)に示すような略長方形形状で形成してもよい。
溝部３ｄは、図１(ｂ)、図２(ｂ)(ｃ)、図３(ａ)(ｂ)、図４(ａ)(ｂ)、図５(ｂ)、図６(ａ)(ｂ)では、第二接着面３ｂにしか形成されていない。
ただし、溝部３ｄは、第一接着面３ａにも形成してもよい。
溝部３ｄが第一接着面３ａにも形成されていると、物品固定具本体２と粘着シート３は、第一接着面３ａに塗られている接着力の弱い接着剤３ｅ、および、溝部３ｄに注入された接着力の強い接着剤４によって係着するので、第一接着面３ａと第二表面２ｂは、離脱しにくくなることにより、実施例１の物品固定具１は、壁面５から転落しにくくなる。
溝部３ｄは、図１(ａ)(ｂ)、図２(ａ)(ｂ)(ｃ)、図３(ａ)(ｂ)では、第二接着面３ｂにおいて、１つしか形成されていない。
ただし、溝部３ｄは、第二接着面３ｂにおいて、複数形成してもよい。
溝部３ｄは、第二接着面３ｂにおいて、複数形成されていると、複数形成された溝部３ｄの１つが壁面５と離脱しても、他の溝部３ｄが壁面５と係着しているので、第二接着面３ｂは壁面５から離脱にくくなることにより、実施例１の物品固定具１は、壁面５から転落しにくくなる。
【実施例２】
【００２９】
実施例２の物品固定具１は、実施例１の物品固定具１の変形例である。
実施例２の物品固定具１は、図１７(ａ)(ｂ)、図１８(ａ)(ｂ)(ｃ)、図１９(ａ)(ｂ)、図２０(ａ)(ｂ)、図２１(ａ)(ｂ)、図２２(ａ)(ｂ)に示すように、第一開口部３ｆが第一接着面３ａに形成されており、第二開口部３ｇが第二接着面３ｂに形成されており、溝部３ｄは、第一開口部３ｆから第二開口部３ｇに向けて形成されている点が、実施例１の物品固定具１とは異なる。
【００３０】
第一接着面３ａ、および、第二接着面３ｂの両方に溝部３ｄが形成されている物品固定具は、第一接着面３ａに形成されている溝部３ｄと第二接着面３ｂに形成されている溝部３ｄの両方に粘着力の強い接着剤４を注入しなければ、第一接着面３ａと第二表面２ｂを接着力の弱い接着剤３ｅと粘着力の強い接着剤４によって係着し、第二接着面３ｂと壁面５を接着力の弱い接着剤３ｅと粘着力の強い接着剤４によって係着することはできない。
しかし、実施例２の物品固定具１は、溝部３ｄが、第一開口部３ｆから第二開口部３ｇに向けて形成されているので、粘着シート３を物品固定具本体２に係着した後に、溝部３ｄに粘着力の強い接着剤４を注入して第二接着面３ｂを壁面５に係着すれば、第一接着面３ａと第二表面２ｂを接着力の弱い接着剤３ｅと粘着力の強い接着剤４によって係着し、第二接着面３ｂと壁面５を接着力の弱い接着剤３ｅと粘着力の強い接着剤４によって係着することができるので、第一接着面３ａと第二表面２ｂは、離脱しにくくなるとともに、
第二接着面３ｂは壁面５から離脱にくくなることにより、実施例２の物品固定具１は、壁面５から転落しにくくなる。
【実施例３】
【００３１】
実施例３の物品固定具１は、実施例１の物品固定具１の変形例である。    
実施例３の物品固定具１は、掛止部２ｄが、図２３(ａ)(ｂ)、図２４(ａ)(ｂ)(ｃ)、図２５(ａ)(ｂ)に示すように、物品固定具本体側縁部２ｃから外方向に延出して形成されている点が、実施例１の物品固定具１とは異なる。
【実施例４】
【００３２】
実施例４の物品固定具１は、実施例２の物品固定具１の変形例である。    
実施例４の物品固定具１は、掛止部２ｄが、図２６(ａ)(ｂ)、図２７(ａ)(ｂ)(ｃ)、図２８(ａ)(ｂ)に示すように、物品固定具本体側縁部２ｃから外方向に延出して形成されている点が、実施例２の物品固定具１とは異なる。
【図面の簡単な説明】
【００３３】
【図１】(ａ)本発明の物品固定具の第一表面方向から見た斜視図である。(ｂ)本発明の物品固定具の第二表面方向から見た斜視図である。
【図２】(ａ)本発明の物品固定具の正面図である。(ｂ)本発明の物品固定具の背面図である。(ｃ)本発明の物品固定具の側面図である。
【図３】(ａ)本発明の物品固定具の平面図である。(ｂ)本発明の物品固定具の底面図である。
【図４】(ａ)図３(ａ)の粘着シートの拡大図である。(ｂ)図３(ｂ)の粘着シートの拡大図である。
【図５】(ａ)本発明の物品固定具の物品固定具本体と粘着シートを第一表面方向から見た斜視図である。(ａ)本発明の物品固定具の物品固定具本体と粘着シートを第二表面方向から見た斜視図である。
【図６】(ａ)本発明の物品固定具の粘着シートの側面図である。(ｂ)発明の物品固定具の粘着シートの平面図である。
【図７】(ａ)本発明の物品固定具の物品固定具本体と粘着シートが係着した状態を第一表面方向から見た斜視図である。(ｂ)本発明の物品固定具の物品固定具本体と粘着シートが係着した状態を第二表面方向から見た斜視図である。
【図８】(ａ)粘着力の強い接着剤を溝部に注入し始めた状態を示す斜視図である。(ｂ)粘着力の強い接着剤を溝部に注入し終えた状態を示す斜視図である。
【図９】本発明の物品固定具を壁面に係着した状態を示す斜視図である。
【図１０】(ａ)本発明の物品固定具の粘着シートの溝部が垂直方向に略直線状に形成されている背面図である。(ｂ)本発明の物品固定具の粘着シートの溝部が垂直方向に略直線状に形成されている側面図である。(ｃ)本発明の物品固定具の粘着シートの溝部が垂直方向に略直線状に形成されている平面図である。(ｄ)本発明の物品固定具の粘着シートの溝部が垂直方向に略直線状に形成されている底面図である。
【図１１】(ａ)本発明の物品固定具の粘着シートの溝部が斜め方向に略直線状に形成されている背面図である。(ｂ)本発明の物品固定具の粘着シートの溝部が斜め方向に略直線状に形成されている側面図である。(ｃ)本発明の物品固定具の粘着シートの溝部が斜め方向に略直線状に形成されている平面図である。(ｄ)本発明の物品固定具の粘着シートの溝部が斜め方向に略直線状に形成されている底面図である。
【図１２】(ａ)本発明の物品固定具の粘着シートの溝部が略円形形状に形成されている背面図である。(ｂ)本発明の物品固定具の粘着シートの溝部が略円形形状に形成されている側面図である。(ｃ)本発明の物品固定具の粘着シートの溝部が略円形形状に形成されている平面図である。(ｄ)本発明の物品固定具の粘着シートの溝部が略円形形状に形成されている底面図である。
【図１３】(ａ)本発明の物品固定具の粘着シートの溝部が略楕円形形状に形成されている背面図である。(ｂ)本発明の物品固定具の粘着シートの溝部が略楕円形形状に形成されている側面図である。(ｃ)本発明の物品固定具の粘着シートの溝部が略楕円形形状に形成されている平面図である。(ｄ)本発明の物品固定具の粘着シートの溝部が略楕円形形状に形成されている底面図である。
【図１４】(ａ)本発明の物品固定具の粘着シートの溝部が略円弧形形状に形成されている背面図である。(ｂ)本発明の物品固定具の粘着シートの溝部が略円弧形形状に形成されている側面図である。(ｃ)本発明の物品固定具の粘着シートの溝部が略円弧形形状に形成されている平面図である。(ｄ)本発明の物品固定具の粘着シートの溝部が略円弧形形状に形成されている底面図である。
【図１５】(ａ)本発明の物品固定具の粘着シートの溝部が略正方形形状に形成されている背面図である。(ｂ)本発明の物品固定具の粘着シートの溝部が略正方形形状に形成されている側面図である。(ｃ)本発明の物品固定具の粘着シートの溝部が略正方形形状に形成されている平面図である。(ｄ)本発明の物品固定具の粘着シートの溝部が略正方形形状に形成されている底面図である。
【図１６】(ａ)本発明の物品固定具の粘着シートの溝部が略長方形形状に形成されている背面図である。(ｂ)本発明の物品固定具の粘着シートの溝部が略長方形形状に形成されている側面図である。(ｃ)本発明の物品固定具の粘着シートの溝部が略長方形形状に形成されている平面図である。(ｄ)本発明の物品固定具の粘着シートの溝部が略長方形形状に形成されている底面図である。
【図１７】(ａ)第一開口部と第二開口部が形成されている本発明の物品固定具の第一表面方向から見た斜視図である。(ｂ)第一開口部と第二開口部が形成されている本発明の物品固定具の第二表面方向から見た斜視図である。
【図１８】(ａ)第一開口部と第二開口部が形成されている本発明の物品固定具の正面図である。(ｂ)第一開口部と第二開口部が形成されている本発明の物品固定具の背面図である。(ｃ)第一開口部と第二開口部が形成されている本発明の物品固定具の側面図である。
【図１９】(ａ)第一開口部と第二開口部が形成されている本発明の物品固定具の平面図である。(ｂ)第一開口部と第二開口部が形成されている本発明の物品固定具の底面図である。
【図２０】(ａ)図１９(ａ)の粘着シートの拡大図である。(ｂ)図１９(ｂ)の粘着シートの拡大図である。
【図２１】(ａ)第一開口部と第二開口部が形成されている本発明の物品固定具の物品固定具本体と粘着シートを第一表面方向から見た斜視図である。(ｂ)第一開口部と第二開口部が形成されている本発明の物品固定具の物品固定具本体と粘着シートを第二表面方向から見た斜視図である。
【図２２】(ａ)第一開口部と第二開口部が形成されている本発明の物品固定具の粘着シートの側面図である。(ｂ)第一開口部と第二開口部が形成されている発明の物品固定具の粘着シートの平面図である。
【図２３】(ａ)掛止部が物品固定具本体側縁部から外方向に延出して形成されている本発明の物品固定具の第一表面方向から見た斜視図である。(ｂ)掛止部が物品固定具本体側縁部から外方向に延出して形成されている本発明の物品固定具の第二表面方向から見た斜視図である。
【図２４】(ａ)掛止部が物品固定具本体側縁部から外方向に延出して形成されている本発明の物品固定具の正面図である。(ｂ)掛止部が物品固定具本体側縁部から外方向に延出して形成されている本発明の物品固定具の背面図である。(ｃ)掛止部が物品固定具本体側縁部から外方向に延出して形成されている本発明の物品固定具の側面図である。
【図２５】(ａ)掛止部が物品固定具本体側縁部から外方向に延出して形成されている本発明の物品固定具の平面図である。(ｂ)掛止部が物品固定具本体側縁部から外方向に延出して形成されている本発明の物品固定具の底面図である。
【図２６】(ａ)掛止部が物品固定具本体側縁部から外方向に延出して形成されており、また、第一開口部と第二開口部が形成されている本発明の物品固定具の第一表面方向から見た斜視図である。(ｂ)掛止部が物品固定具本体側縁部から外方向に延出して形成されており、また、第一開口部と第二開口部が形成されている本発明の物品固定具の第二表面方向から見た斜視図である。
【図２７】(ａ)掛止部が物品固定具本体側縁部から外方向に延出して形成されており、また、第一開口部と第二開口部が形成されている本発明の物品固定具の正面図である。(ｂ)掛止部が物品固定具本体側縁部から外方向に延出して形成されており、また、第一開口部と第二開口部が形成されている本発明の物品固定具の背面図である。(ｃ)掛止部が物品固定具本体側縁部から外方向に延出して形成されており、また、第一開口部と第二開口部が形成されている本発明の物品固定具の側面図である。
【図２８】(ａ)掛止部が物品固定具本体側縁部から外方向に延出して形成されており、また、第一開口部と第二開口部が形成されている本発明の物品固定具の平面図である。(ｂ)掛止部が物品固定具本体側縁部から外方向に延出して形成されており、また、第一開口部と第二開口部が形成されている本発明の物品固定具の底面図である。
【符号の説明】
【００３４】
１    物品固定具
２    物品固定具本体
２ａ  第一表面
２ｂ  第二表面
２ｃ  物品固定具本体側縁部
２ｄ  掛止部
３    粘着シート
３ａ  第一接着面
３ｂ  第二接着面
３ｃ  粘着シート本体側縁部
３ｄ  溝部
３ｅ  粘着力の弱い接着剤
３ｆ  第一開口部
３ｇ  第二開口部
４    粘着力の強い接着剤
５    壁面
【図１】
2013027641.tif 000003
【図２】
2013027641.tif 000004
【図３】
2013027641.tif 000005
【図４】
2013027641.tif 000006
【図５】
2013027641.tif 000007
【図６】
2013027641.tif 000008
【図７】
2013027641.tif 000009
【図８】
2013027641.tif 000010
【図９】
2013027641.tif 000011
【図１０】
2013027641.tif 000012
【図１１】
2013027641.tif 000013
【図１２】
2013027641.tif 000014
【図１３】
2013027641.tif 000015
【図１４】
2013027641.tif 000016
【図１５】
2013027641.tif 000017
【図１６】
2013027641.tif 000018
【図１７】
2013027641.tif 000019
【図１８】
2013027641.tif 000020
【図１９】
2013027641.tif 000021
【図２０】
2013027641.tif 000022
【図２１】
2013027641.tif 000023
【図２２】
2013027641.tif 000024
【図２３】
2013027641.tif 000025
【図２４】
2013027641.tif 000026
【図２５】
2013027641.tif 000027
【図２６】
2013027641.tif 000028
【図２７】
2013027641.tif 000029
【図２８】
2013027641.tif 000030